(57)【要約】【課題】パスワードの秘匿性をより一層向上させることが可能なプロジェクタを提供すること。【解決手段】予め定められたパスワードが入力されると操作を受け付ける制御部を備えるプロジェクタであって、パスワードを格納する記憶部と、複数の指定ボタンと、決定ボタンとが設けられた入力部と、制御部の制御に基づいて、異なる複数の記号が行列に配置されたパスワード入力画像を投射表示する投射表示部と、を有し、制御部は、プロジェクタが起動すると、パスワード入力画像を投射表示部に投射表示させ、指定ボタンの押下による行および列の指定を受け付けると該指定により特定される記号を該指定を受け付けた順に認識し、決定ボタンが押下されると、認識した記号とパスワードとを比較し、これらが一致する場合に操作を受け付ける。【選択図】図１
2008305075.tif 000002
【特許請求の範囲】
【請求項１】
予め定められたパスワードが入力されると操作を受け付ける制御部を備えるプロジェクタであって、
前記パスワードを格納する記憶部と、
複数の指定ボタンと、決定ボタンとが設けられた入力部と、
前記制御部の制御に基づいて、異なる複数の記号が行列に配置されたパスワード入力画像を投射表示する投射表示部と、を有し、
前記制御部は、前記プロジェクタが起動すると、前記パスワード入力画像を前記投射表示部に投射表示させ、前記指定ボタンの押下による行および列の指定を受け付けると該指定により特定される記号を該指定を受け付けた順に認識し、前記決定ボタンが押下されると、認識した記号と前記パスワードとを比較し、これらが一致する場合に操作を受け付けることを特徴とするプロジェクタ。
【請求項２】
請求項１に記載のプロジェクタにおいて、
前記制御部は、前記投射表示部に対し、前記行の指定を受け付ける状態であることを示す第１のパスワード入力画像と、前記列の指定を受け付ける状態であることを示す第２のパスワード入力画像とを、前記指定ボタンが押下されるたびに交互に投射表示させることを特徴とするプロジェクタ。
【請求項３】
請求項１または請求項２に記載のプロジェクタにおいて、
前記制御部は、前記行および列の指定から特定される記号を認識するたびに、該記号を、該記号と異なる記号に変換して投射表示させることを特徴とするプロジェクタ。
【請求項４】
複数の指定ボタンを用いてパスワードを入力する方法であって、
異なる複数の記号が行列に配置されたパスワード入力画像を表示し、
前記指定ボタンの押下により行および列の指定を受け付けると該指定により特定される記号を該指定を受け付けた順に認識する、
ことを特徴とするパスワード入力方法。
【請求項５】
請求項４に記載のパスワード入力方法において、
前記行の指定を受け付ける状態であることを示す第１のパスワード入力画像と、前記列の指定を受け付ける状態であることを示す第２のパスワード入力画像とを、前記指定ボタンが押下されるたびに交互に表示する、ことを特徴とするパスワード入力方法。
【請求項６】
請求項４または請求項５に記載のパスワード入力方法において、
前記行および列の指定から特定される記号を認識するたびに、該記号を、該記号と異なる記号に変換して表示する、ことを特徴とするパスワード入力方法。
【発明の詳細な説明】
【技術分野】
【０００１】
本発明は、予め定められたパスワードが入力されると操作を受け付けるプロジェクタ、およびパスワード入力方法に関する。
【背景技術】
【０００２】
プロジェクタには、起動するとパスワード入力を要求し、入力内容が登録内容と一致する場合にユーザの操作入力を受け付けるものがある。そのようなセキュリティ機能が設けられたプロジェクタでは、起動すると、パスワード入力を行うための画像（パスワード入力画像）が投射表示される。
【０００３】
パスワード入力画像には、例えば、０〜９の数字、およびＡ〜Ｚの英字などの記号を碁盤状に配置させたソフトウェアキーボードが示されている。ソフトウェアキーボードには、選択されている記号を枠で囲むものがあり、この場合、ユーザが、例えばリモコンを用いて枠で囲まれた記号を確定させる操作を行うと、プロジェクタは、その記号の入力を認識する。
【０００４】
上記のようにしてパスワード入力を行う場合、投射画像上でパスワードを構成する記号を指定するため、パスワードが第３者に容易に漏洩することが考えられる。そこで、パスワードの秘匿性を向上させる目的で様々な工夫が提案されており、例えば特許文献１（特開２００１−１６６８４３号公報）に開示されている。
【０００５】
特許文献１には、携帯端末を用いて金融機関のサーバにアクセスして預金口座の残高の確認や振込みなどを行う際、携帯端末から入力するパスワードの秘匿性を向上させる方法が開示されている。
【０００６】
特許文献１では、パスワードを構成する記号は、携帯端末の入力キーを用いて入力される。このとき、その記号は、ユーザが確定操作を行うまでは携帯端末の表示部に表示されるが、確定操作が行われると、アスタリスク「＊」に変換されて表示される。
【０００７】
このようにして、パスワード入力の際に、確定操作の行われた記号が別の記号に変換されて表示されることにより第３者へのパスワード漏洩の可能性が低くなるため、パスワードの秘匿性を向上させることが可能となる。
【特許文献１】特開２００１−１６６８４３号公報
【発明の開示】
【発明が解決しようとする課題】
【０００８】
パスワード入力の際、特許文献１に記載のような方法を用いる場合には、パスワードを構成する記号は、入力が確定するまで表示されており、このときに第３者にパスワードが漏洩することが考えられる。
【０００９】
本発明は、上述したような問題を解決するためになされたものであり、パスワードの秘匿性をより一層向上させることが可能なプロジェクタ、およびパスワード入力方法を提供することを目的とする。
【課題を解決するための手段】
【００１０】
上記目的を達成するための本発明によるプロジェクタは、
予め定められたパスワードが入力されると操作を受け付ける制御部を備えるプロジェクタであって、
前記パスワードを格納する記憶部と、
複数の指定ボタンと、決定ボタンとが設けられた入力部と、
前記制御部の制御に基づいて、異なる複数の記号が行列に配置されたパスワード入力画像を投射表示する投射表示部と、を有し、
前記制御部は、前記プロジェクタが起動すると、前記パスワード入力画像を前記投射表示部に投射表示させ、前記指定ボタンの押下による行および列の指定を受け付けると該指定により特定される記号を該指定を受け付けた順に認識し、前記決定ボタンが押下されると、認識した記号と前記パスワードとを比較し、これらが一致する場合に操作を受け付ける。
【００１１】
また、前記制御部は、前記投射表示部に対し、前記行の指定を受け付ける状態であることを示す第１のパスワード入力画像と、前記列の指定を受け付ける状態であることを示す第２のパスワード入力画像とを、前記指定ボタンが押下されるたびに交互に投射表示させることとしてもよい。
【００１２】
また、前記制御部は、前記行および列の指定から特定される記号を認識するたびに、該記号を、該記号と異なる記号に変換して投射表示させることとしてもよい。
【発明の効果】
【００１３】
本発明では、パスワード入力画像には、異なる複数の記号が行列に配置されて示されている。制御部は、行および列の指定を指定ボタンの押下により交互に受け付ける度に、その指定から特定される記号を順に認識していく。そして、決定ボタンが押下されるまでに認識した記号を、予め設定されているパスワードと比較する。これにより、ユーザがパスワードを入力する際に、パスワードを構成する記号の入力や表示が不要となる。
【００１４】
本発明によれば、パスワードの入力が行われる際に、パスワードを構成する記号の入力や表示が不要となるため、パスワードの秘匿性をより一層向上させることが可能となる。
【発明を実施するための最良の形態】
【００１５】
本発明によるプロジェクタの実施例について説明する。
【００１６】
図１は、本実施例のプロジェクタの構成を示すブロック図である。なお、本実施例では、投射表示を行うための構成および動作については従来のプロジェクタと同様であるため、ここではその詳細な説明を省略する。
【００１７】
本実施例のプロジェクタは、図１に示すように、入力部１と、記憶部２と、投射表示部３と、制御部４と、を含む構成である。
【００１８】
入力部１は、例えばリモコンであり、図２に示すように、ユーザがプロジェクタを操作するための８個のボタン２０１〜２０８が設けられている。そして、入力部１は、ボタン２０１〜２０８のいずれかが押下されると、押下されたボタンに対して予め設定されたプロジェクタの操作内容を示す信号を制御部４へ出力する。
【００１９】
なお、入力部１は、リモコンに限定されず、プロジェクタ本体に設けられるものとしてもよい。また、ボタンの数も８個に限定されるものではない。
【００２０】
記憶部２は、例えばメモリを含む構成であり、メモリには、予め登録されているパスワード（登録パスワード）などが格納されている。
【００２１】
投射表示部３は、制御部４の制御に基づいて投射表示を行う。プロジェクタがパスワード入力を受け付ける際に投射表示部３が投射表示する画像には、例えば図３に示すパスワード入力画像１００や図４に示すパスワード入力画像１０１が含まれる。
【００２２】
図３に示すパスワード入力画像１００には、ソフトウェアキーボード１１０とテキストボックス１２０とが示されている。
【００２３】
ソフトウェアキーボード１１０は、０〜９の数字とＡ〜Ｚの英字とを６×６行列に配置しており、入力部１のボタン２０１〜２０６が各行に対応していることを示している。例えば、ボタン２０１は、数字０〜５が配置された第１行に対応している。
【００２４】
図４に示すパスワード入力画像１１０は、ソフトウェアキーボード１１１とテキストボックス１２０とが示されている。
【００２５】
ソフトウェアキーボード１１１は、数字および英字をソフトウェアキーボード１１０と同一の６×６行列に配置しており、入力部１のボタン２０１〜２０６が各列に対応していることを示している。例えば、ボタン２０２は、数字１および７、ならびに英字Ｄ、Ｊ、Ｐ、およびＶが配置された第２列に対応している。
【００２６】
テキストボックス１２０には、記号１０が表示される。記号１０は、ソフトウェアキーボード１１０およびソフトウェアキーボード１１１を用いて特定された数字または英字を変換したものである。
【００２７】
なお、記号１０は、図５ではアスタリスク「＊」に変換されて表示されているがこれに限定されず、例えば「＃」とすることにしてもよい。また、記号１０は、６×６行列の中から数字または英字が特定される度にテキストボックス１２０に表示される。
【００２８】
制御部４は、プロジェクタの各部の動作を制御する。また、入力部１からプロジェクタの操作内容を示す信号が入力された場合には、その信号に基づいて各部の動作を制御する。
【００２９】
次に、本実施例のプロジェクタのパスワード入力に関する動作について説明する。
【００３０】
図６は、パスワード入力に関する動作手順を示すフローチャートである。なお、ここでは、ユーザが入力するパスワード（入力パスワード）を図７に示す「Ｆ７Ｗ９ＣＺ」とする。
【００３１】
プロジェクタが起動すると、制御部４がパスワード入力画像１００を投射表示部３に投射表示させる（ステップＳ１）。そして、制御部４は、入力部１のボタン２０１〜２０６のいずれかが押下されたことを確認するまでパスワード入力画像１００を投射表示させる（ステップＳ２）。
【００３２】
ユーザは、パスワード入力画像１００から「Ｆ」がソフトウェアキーボード１１０の第３行に配置されていることを視認して、入力部１のボタン２０３を押下する。すると、制御部４は、ボタン２０３の押下によりソフトウェアキーボード１１０の第３行が指定されたことを確認する（ステップＳ３）。
【００３３】
ソフトウェアキーボード１１０の行の指定を確認すると、制御部４は、パスワード入力画像１０１を投射表示部３に投射表示させる（ステップＳ４）。そして、制御部４は、ステップＳ２と同様に入力部１のボタン２０１〜２０６のいずれかが押下されたことを確認するまでパスワード入力画像１０１を投射表示させる（ステップＳ５）。
【００３４】
ユーザは、パスワード入力画像１０１から「Ｆ」がソフトウェアキーボード１１１の第４列に配置されていることを視認して、入力部１のボタン２０４を押下する。すると、制御部４は、ボタン２０４の押下によりソフトウェアキーボード１１１の第４列が指定されたことを確認する（ステップＳ６）。
【００３５】
制御部４は、ステップＳ３およびステップＳ６から第３行第４列に配置されている記号を特定して認識する（ステップＳ７）。すなわち、制御部４において「Ｆ」の入力が認識されることになる。
【００３６】
制御部４は、記号を特定すると、その記号を記号１０に変換してからテキストボックス１２０に表示させる（ステップＳ８）。そして、制御部４は、再びパスワード入力画像１００を投射表示部３に投射表示させる（ステップＳ９）。
【００３７】
ユーザは、パスワード入力画像１００のテキストボックス１２０に記号１０が表示されたことを視認すると、続いて「Ｆ」のときと同様にして「７」の入力を行う。これにより、プロジェクタにおいてステップＳ２〜ステップＳ９の動作が繰り返される。このとき、制御部４は、行および列の指定から特定される記号を、その指定を受け付けた順に認識していく。
【００３８】
ステップＳ２〜ステップＳ９の動作は、制御部４においてボタン２０７の押下が確認されるまで繰り返される（ステップＳ１０）。
【００３９】
ユーザが「Ｆ７Ｗ９ＣＺ」（入力パスワード）の入力後、ボタン２０７を押下すると、制御部４は、入力パスワードが記憶部２に格納されている登録パスワードと一致するか否か比較する（ステップＳ１１）。
【００４０】
入力パスワードが登録パスワードに一致する場合、制御部４は、ユーザによる入力部１の操作を受け付ける（ステップＳ１２）。なお、入力パスワードが登録パスワードに一致しない場合には、制御部４は、ステップＳ１の動作に戻る。
【００４１】
本実施例では、パスワード入力画像１００および１０１には、異なる複数の数字や英字が行列に配置されて示されている。制御部４は、行および列の指定をボタン２０１〜２０６の押下により受け付けると、その指定から特定される記号を順に認識していく。そして、ボタン２０７が押下されるまでに認識した記号を、パスワードと比較する。
【００４２】
このようにして、本実施例によれば、ユーザがパスワードを入力する際に、パスワードを構成する記号の入力や表示が不要となるため、パスワードの秘匿性をより一層向上させることが可能となる。
【００４３】
また、本実施例では、行の指定を受け付ける状態であることを示すパスワード入力画像１００と、列の指定を受け付ける状態であることを示すパスワード入力画像１０１とが交互に投射表示される。そのため、パスワードの誤入力を防ぐとともに秘匿性をより一層向上させることが可能となる。
【００４４】
また、本実施例では、行および列の指定により記号が特定されるたびに、その記号と異なる記号が投射表示される。そのため、ユーザがプロジェクタに認識させた記号の数（桁数）を確認できるとともにパスワードの秘匿性をより一層向上させることが可能となる。
【図面の簡単な説明】
【００４５】
【図１】本実施例のプロジェクタの構成を示すブロック図である。
【図２】入力部１の外形を示す模式図である。
【図３】パスワード入力画像１００の一例を示す模式図である。
【図４】パスワード入力画像１０１の一例を示す模式図である。
【図５】記号１０を説明するための説明図である。
【図６】パスワード入力に関する動作手順を示すフローチャートである。
【図７】入力パスワードの一例を示す模式図である。
【符号の説明】
【００４６】
１  入力部
２  記憶部
３  投射表示部
４  制御部
１０  記号
２０１〜２０８  ボタン
１００、１０１  パスワード入力画像
１１０、１１１  ソフトウェアキーボード
１２０  テキストボックス
【図１】
2008305075.tif 000003
【図２】
2008305075.tif 000004
【図３】
2008305075.tif 000005
【図４】
2008305075.tif 000006
【図５】
2008305075.tif 000007
【図６】
2008305075.tif 000008
【図７】
2008305075.tif 000009